【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
オーディオデータまたはビデオデータを処理する方法であって、
前記オーディオデータまたは前記ビデオデータを取り出すステップと、
処理装置により、前記オーディオデータまたは前記ビデオデータを処理してメタデータ項目を抽出するステップと、
前記処理装置により、複数の優先順位付け方法のうちの１つを使用して、前記メタデータ項目の優先順位値を決定するステップと、
前記処理装置により、前記優先順位値を優先順位テーブルに配置するステップと、
前記処理装置により、前記優先順位テーブルをメタデータテーブルにおいて参照するステップと、
前記処理装置により、前記使用された優先順位付け方法に関する情報を含む優先順位詳細テーブルのエントリを生成するステップと、
記憶ユニットに、前記優先順位テーブル、前記メタデータテーブル、および前記優先順位詳細テーブルを記憶するステップと、
を含む、前記方法。
【請求項２】
前記優先順位詳細テーブルはデフォルト優先順位値を含む、請求項１に記載の方法。
【請求項３】
前記優先順位詳細テーブルはユーザ定義された優先順位値を含む、請求項１に記載の方法。
【請求項４】
オーディオデータまたはビデオデータを処理するように構成された装置であって、
前記オーディオデータまたは前記ビデオデータを取り出し、
前記オーディオデータまたは前記ビデオデータを処理してメタデータ項目を抽出し、
複数の優先順位付け方法のうちの１つを使用して、前記メタデータ項目の優先順位値を決定し、
前記優先順位値を優先順位テーブルに配置し、
前記優先順位テーブルをメタデータテーブルにおいて参照し、および
前記使用された優先順位付け方法に関する情報を含む優先順位詳細テーブルのエントリを生成するように構成された処理装置と、
前記優先順位テーブル、前記メタデータテーブル、および前記優先順位詳細テーブルを記憶するように構成された記憶ユニットと、
を備えた、前記装置。
【請求項５】
前記優先順位詳細テーブルはデフォルト優先順位値を含む、請求項４に記載の装置。
【請求項６】
前記優先順位詳細テーブルはユーザ定義された優先順位値を含む、請求項４に記載の装置。
【請求項７】
オーディオデータまたはビデオデータに関連付けられたメタデータを処理する方法であって、
前記オーディオデータまたは前記ビデオデータに関連付けられたメタデータ項目のセットを取り出すステップと、
処理装置により、前記取り出したメタデータ項目のセットの前記メタデータ項目に対する優先順位値を決定するステップと、
前記処理装置により、メタデータ項目のサブセットを、前記取り出したメタデータ項目のセットから、前記決定した優先順位値に基づいて決定するステップと、
ディスプレイにより、前記オーディオデータまたは前記ビデオデータの少なくとも一部と、前記メタデータ項目のサブセットとをユーザに提示するステップと、
前記提示したメタデータ項目のサブセットの１つまたは複数のメタデータ項目または優先順位値を修正するユーザ入力を受け取るステップと、
記憶ユニットに、前記修正された１つまたは複数のメタデータ項目または優先順位値を記憶するステップと、
を含む、前記方法。
【請求項８】
前記メタデータ項目に対する前記優先順位値は、優先順位テーブルを取り出すことによって決定される、請求項７に記載の方法。
【請求項９】
前記メタデータ項目に対する前記優先順位値は、複数の優先順位付け方法のうちの１つを使用して決定される、請求項７に記載の方法。
【請求項１０】
オーディオデータまたはビデオデータに関連付けられたメタデータを処理するように構成された装置であって、
前記オーディオデータまたは前記ビデオデータに関連付けられたメタデータ項目のセットを取り出し、
前記取り出したメタデータ項目のセットの前記メタデータ項目に対する優先順位値を決定するように構成され、さらに、メタデータ項目のサブセットを、前記取り出したメタデータ項目のセットから、前記決定した優先順位値に基づいて決定するように構成された処理装置と、
前記オーディオデータまたは前記ビデオデータの少なくとも一部と、前記メタデータ項目のサブセットとをユーザに提示するように構成されたディスプレイと、
前記提示したメタデータ項目のサブセットの１つまたは複数のメタデータ項目または優先順位値を修正するユーザ入力を受け取るように構成されたユーザインターフェースと、
前記修正された１つまたは複数のメタデータ項目または優先順位値を記憶するように構成された記憶ユニットと、
を備えた、前記装置。
【請求項１１】
前記メタデータ項目に対する前記優先順位値が、優先順位テーブルを取り出すことによって決定される、請求項１０に記載の装置。
【請求項１２】
前記メタデータ項目に対する前記優先順位値が、複数の優先順位付け方法のうちの１つを使用して決定される、請求項１０に記載の装置。
【手続補正２】
【補正対象書類名】明細書
【補正対象項目名】００３２
【補正方法】変更
【補正の内容】
【００３２】
図８は、図７の方法を実行するように適合された装置４０を概略的に図示する。装置４０は、オーディオまたはビデオデータに関連付けられたメタデータ項目のセットをメタデータリポジトリ４２から取り出す（３０）、メタデータコレクタまたは抽出器４１を備える。分析ユニット４３は、取り出した（３０）メタデータ項目のセットのメタデータ項目の優先順位値を決定し（３１）、メタデータ項目のサブセットを、取り出した（３０）メタデータ項目のセットから、決定した（３１）優先順位値に基づいて決定する（３２）ように適合される。装置４０はさらに、オーディオまたはビデオデータの少なくとも一部と、メタデータ項目のサブセットとをユーザに提示する（３３）ディスプレイ４４と、提示した（３３）メタデータ項目のサブセットの１つまたは複数のメタデータ項目または優先順位値を修正するユーザ入力を受け取る（３４）ユーザインターフェース４５とを備える。修正された１つまたは複数のメタデータ項目または優先順位値を記憶する（３５）ために、装置４０は記憶ユニット４６を備える。
本発明は以下の態様を含む。
（付記１）
オーディオまたはビデオデータに関連付けられたメタデータ項目を優先順位付けする方法であって、
メタデータ項目を取り出すステップと、
複数の優先順位付け方法のうちの１つを使用して、前記メタデータ項目の優先順位値を決定するステップと、
前記優先順位値を優先順位テーブルに記憶するステップと、
前記優先順位テーブルをメタデータテーブルで参照するステップと、
を含む、前記方法。
（付記２）
前記使用された優先順位付け方法に関する情報を含む優先順位詳細テーブルのエントリを生成するステップをさらに含む、付記１に記載の方法。
（付記３）
前記優先順位詳細テーブルはデフォルト優先順位値を含む、付記２に記載の方法。
（付記４）
前記優先順位詳細テーブルはユーザ定義された優先順位値を含む、付記２に記載の方法。
（付記５）
オーディオまたはビデオデータに関連付けられたメタデータ項目を優先順位付けする装置であって、
メタデータ項目を、メタデータリポジトリから、または入力を介して取り出すメタデータコレクタまたは抽出器と、
複数の優先順位付け方法のうちの１つを使用して、前記メタデータ項目の優先順位値を決定する分析ユニットと、
前記優先順位値を優先順位テーブルに記憶し、前記優先順位テーブルをメタデータテーブルで参照する記憶ユニットと、
を備えた、前記装置。
（付記６）
前記分析ユニットは、前記使用された優先順位付け方法に関する情報を含む優先順位詳細テーブルのエントリを生成するように適合される、付記５に記載の装置。
（付記７）
前記優先順位詳細テーブルはデフォルト優先順位値を含む、付記６に記載の装置。
（付記８）
前記優先順位詳細テーブルはユーザ定義された優先順位値を含む、付記６に記載の装置。
（付記９）
オーディオまたはビデオデータに注釈を付ける方法であって、
オーディオまたはビデオデータに関連付けられたメタデータ項目のセットをメタデータリポジトリから取り出すステップと、
前記取り出したメタデータ項目のセットの前記メタデータ項目に対する優先順位値を決定するステップと、
メタデータ項目のサブセットを、前記取り出したメタデータ項目のセットから、前記決定した優先順位値に基づいて決定するステップと、
前記オーディオまたはビデオデータの少なくとも一部と、前記メタデータ項目のサブセットとをユーザに提示するステップと、
前記提示したメタデータ項目のサブセットの１つまたは複数のメタデータ項目または優先順位値を修正するユーザ入力を受け取るステップと、
前記修正された１つまたは複数のメタデータ項目または優先順位値を記憶するステップと、
を含む、前記方法。
（付記１０）
前記メタデータ項目に対する前記優先順位値は、優先順位テーブルを前記メタデータリポジトリから取り出すことによって決定される、付記９に記載の方法。
（付記１１）
前記メタデータ項目に対する前記優先順位値は、複数の優先順位付け方法のうちの１つを使用して決定される、付記９に記載の方法。
（付記１２）
オーディオまたはビデオデータに注釈を付ける装置であって、
オーディオまたはビデオデータに関連付けられたメタデータ項目のセットをメタデータリポジトリから取り出すメタデータコレクタまたは抽出器と、
前記取り出したメタデータ項目のセットの前記メタデータ項目に対する優先順位値を決定し、メタデータ項目のサブセットを、前記取り出したメタデータ項目のセットから、前記決定した優先順位値に基づいて決定する、分析ユニットと、
前記オーディオまたはビデオデータの少なくとも一部と、前記メタデータ項目のサブセットとをユーザに提示する、ディスプレイと、
前記提示したメタデータ項目のサブセットの１つまたは複数のメタデータ項目または優先順位値を修正するユーザ入力を受け取る、ユーザインターフェースと、
前記修正された１つまたは複数のメタデータ項目または優先順位値を記憶する、記憶ユニットと、
を備えた、前記装置。
（付記１３）
前記メタデータ項目に対する前記優先順位値が、優先順位テーブルを前記メタデータリポジトリから取り出すことによって決定される、付記１２に記載の装置。
（付記１４）
前記メタデータ項目に対する前記優先順位値が、複数の優先順位付け方法のうちの１つを使用して決定される、付記１２に記載の装置。